【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
少なくとも１対の１０Ｇｂ／秒光送信機の波長が５０又は１００ＧＨｚのＩＴＵ−Ｔウィンドウ内である１０Ｇｂ／秒光送信機と、各光送信機を駆動する光電子制御回路とを備えたＮ個の搬送波の波長分割変調器（ＷＤＭ）中継器／送受信機であって、
前記光電子制御回路は、制御信号を出力するマルチプレクサを含み、
前記各光送信機は、２０−２８Ｇｂ／秒において帯域制限された光デュオバイナリ変調技術にしたがって前記光電子制御回路による電気的な前記制御信号により駆動され、
前記光電子制御回路はさらに、
インターフェースからの信号をＮ個のレーンの２０−２８Ｇｂ／秒の差動的にエンコードされたＮＲＺ信号に変換するための少なくとも１個の電子装置と、
前記Ｎ個のレーンの２０−２８Ｇｂ／秒ＮＲＺ信号をそれぞれに増幅させるためのＮ個のドライバ増幅器であって、前記各増幅器の群遅延変動が前記２０−２８Ｇｂ／秒ＮＲＺ信号を歪ませないように十分に低い前記ドライバ増幅器と、
前記増幅された複数の信号を受信して複数のデュオバイナリエンコーダとしての機能を果たすＮ個の電子ローパスフィルタとを備え、
前記少なくとも１対の１０Ｇｂ／秒光送信機はさらに、
前記エンコードされた複数の信号をＮ個の異なる波長を有する複数の光信号に変換するＮ個の１０Ｇｂ／秒光送信機と、
前記Ｎ個の１０Ｇｂ／秒光送信機から生成されたＮ個の波長を合成させるための光合成器とを備え、
前記電子装置は、Ｎ個の２０−２８Ｇｂ／秒レーン間のスキューを管理するための十分な電子的なバッファを有することを特徴とするＮ個の搬送波の波長分割変調器（ＷＤＭ）中継器／送受信機。
【請求項２】
前記複数の１０Ｇｂ／秒の光送信機は、標準の又は小型化された集積化されたチューナブルレーザアセンブリ（ＩＴＬＡ）を含むことを特徴とする請求項１記載のＮ個の搬送波の波長分割変調器（ＷＤＭ）中継器／送受信機。
【請求項３】
前記複数の１０Ｇｂ／秒の光送信機は、チューナブル又は固定化された波長の送信機光サブアセンブリ（ＴＯＳＡ）を含むことを特徴とする請求項１記載のＮ個の搬送波の波長分割変調器（ＷＤＭ）中継器／送受信機。
【請求項４】
前記各チューナブル１０Ｇｂ／秒光送信機は、ゼロチャープもしくはプレチャープされたリチウムニオブ酸塩又はＩｎＰもしくはポリマーに基づいた光変調器を含むことを特徴とする請求項１記載のＮ個の搬送波の波長分割変調器（ＷＤＭ）中継器／送受信機。
【請求項５】
前記光合成器は、偏波保持ビーム合成器であることを特徴とする請求項１記載のＮ個の搬送波の波長分割変調器（ＷＤＭ）中継器／送受信機。
【請求項６】
前記光合成器は、光結合器であることを特徴とする請求項１記載のＮ個の搬送波の波長分割変調器（ＷＤＭ）中継器／送受信機。
【請求項７】
前記Ｎ個の搬送波の波長分割変調器（ＷＤＭ）中継器／送受信機はさらに、少なくとも１対の２０−２８Ｇｂ／秒の光受信機を備え、
前記各２０−２８Ｇｂ／秒受信機は、少なくとも１個の２０〜２８Ｇｂ／秒電子分散補償（ＥＤＣ）を含むことを特徴とする請求項１記載のＮ個の搬送波の波長分割変調器（ＷＤＭ）中継器／送受信機。
【請求項８】
前記Ｎ個のレーンの２０−２８Ｇｂ／秒ＮＲＺ信号をＳＦＩ５．１もしくはＮ×１０Ｇインターフェースに変換する前記少なくとも１つの電子出力装置は、Ｎ個の２０〜２８Ｇｂ／秒のＥＤＣを含むことを特徴とする請求項１記載のＮ個の搬送波の波長分割変調器（ＷＤＭ）中継器／送受信機。
【請求項９】
前記中継器／送受信機全体は、３００ピンＭＳＡパッケージ又はＣＦＰ  ＭＳＡパッケージのうちの１つの内部に含まれることを特徴とする請求項１記載のＮ個の搬送波の波長分割変調器（ＷＤＭ）中継器／送受信機。
【請求項１０】
ＳＦＩ５．１インターフェースからの信号を２個のレーンの２０−２８Ｇｂ／秒差動的にエンコードされたＮＲＺ信号に変換するための少なくとも１個の電子入力装置と、
前記２個のレーンの２０−２８Ｇｂ／秒ＮＲＺ信号をそれぞれ増幅するための１対のドライバ増幅器であって、前記各増幅器の群遅延変動は前記２０−２８Ｇｂ／秒ＮＲＺ信号を歪ませないように十分に低い前記ドライバ増幅器と、
前記増幅された複数の信号を受信してデュオバイナリエンコーダとしての機能を果たす１対の電子ローパスフィルタと、
前記エンコードされた複数の信号を２個の異なる波長を有する複数の光信号に変換する１対のチューナブル１０Ｇｂ／秒光送信機と、
前記２個のチューナブル１０Ｇｂ／秒光送信機から生成された前記２個の波長を合成するための光合成器と、
前記伝送路から受信された前記２個の波長を分離するための光波長スライサと、
１対の２０−２８Ｇｂ／秒光受信機と、
２個のレーンの２０−２８Ｇｂ／秒ＮＲＺ信号をＳＦＩ５．１インターフェースに変換するための少なくとも１個の電子出力装置とを備えることを特徴とする２個の搬送波の波長分割変調器（ＷＤＭ）中継器／送受信機。
【請求項１１】
前記電子装置は、前記２個の２０−２８Ｇｂ／秒レーン間のスキューを管理するための十分な電子的なバッファを有することを特徴とする請求項１０記載の２個の搬送波の波長分割変調器（ＷＤＭ）中継器／送受信機。
【請求項１２】
前記波長スライサは、５０ＧＨｚ又は１００ＧＨｚの周期を用いた１入力×２出力の周期的なアレイ導波路であることを特徴とする請求項１０記載の２個の搬送波の波長分割変調器（ＷＤＭ）中継器／送受信機。
【請求項１３】
４×１０Ｇｂ／秒ＸＦＩインターフェースを２個のレーンの２０−２８Ｇｂ／秒の差動的にエンコードされたＮＲＺ信号に変換するための少なくとも１個の電子入力装置と、
前記２個のレーンの２０−２８Ｇｂ／秒のＮＲＺ信号を増幅させるための１対のドライバ増幅器であって、前記各増幅器の群遅延変動が前記２０−２８Ｇｂ／秒のＮＲＺ信号を歪ませないように十分に低い前記ドライバ増幅器と、
前記増幅された複数の信号を受信して複数のデュオバイナリエンコーダとしての機能を果たす１対の電子ローパスフィルタと、
前記エンコードされた複数の信号を２個の異なる波長を有する複数の光信号に変換する１対のチューナブル１０Ｇｂ／秒光送信機と、
前記２個のチューナブル１０Ｇｂ／秒光送信機から生成された前記２個の波長を合成するための光合成器と、
前記伝送路から受信された前記２個の波長を分離するための光波長スライサと、
１対の２０−２８Ｇｂ／秒光受信機と、
２個のレーンの２０−２８Ｇｂ／秒ＮＲＺ信号をＳＦＩ５．１インターフェースに変換するための少なくとも１個の電子出力装置とを備えることを特徴とする２個の搬送波の波長分割変調器（ＷＤＭ）中継器／送受信機。
【請求項１４】
前記電子装置は、前記２個の２０−２８Ｇｂ／秒レーン間のスキューを管理するための十分な電子的なバッファを有することを特徴とする請求項１３記載の２個の搬送波の波長分割変調器（ＷＤＭ）中継器／送受信機。
【請求項１５】
前記２個のチューナブル１０Ｇｂ／秒光送信機の前記２個の光波長間の前記チャンネル間隔は、１９ＧＨｚと２５ＧＨｚとの間であることを特徴とする請求項１３記載の２個の搬送波の波長分割変調器（ＷＤＭ）中継器／送受信機。
【請求項１６】
５×１０Ｇｂ／秒ＸＦＩインターフェースを２個のレーンの２７−２８Ｇｂ／秒の差動的にエンコードされたＮＲＺ信号に変換するための少なくとも１個の電子入力装置と、
前記２個のレーンの２７−２８Ｇｂ／秒のＮＲＺ信号をそれぞれ増幅させるための１対のドライバ増幅器であって、前記各増幅器の群遅延変動が前記２７−２８Ｇｂ／秒ＮＲＺ信号を歪ませないように十分に低い前記ドライバ増幅器と、
前記増幅された複数の信号を受信して複数のデュオバイナリエンコーダとしての機能を果たす１対の電子ローパスフィルタと、
前記エンコードされた複数の信号を２個の異なる波長を有する複数の光信号に変換する１対のチューナブル１０Ｇｂ／秒光送信機と、
前記２個のチューナブル１０Ｇｂ／秒光送信機から生成された前記２個の波長を合成するための光合成器と、
前記伝送路から受信された前記２個の波長を分離するための光波長スライサと、
１対の２７−２８Ｇｂ／秒光受信機と、
２個のレーンの２７−２８Ｇｂ／秒ＮＲＺ信号を５×１０Ｇｂ／秒ＸＦＩインターフェースに変換するための少なくとも１個の電子出力装置とを備えることを特徴とする２個の搬送波の波長分割変調器（ＷＤＭ）中継器／送受信機。
【請求項１７】
前記電子装置は、前記２個の２０−２８Ｇｂ／秒レーン間のスキューを管理するための十分な電子的なバッファを有することを特徴とする請求項１６記載の２個の搬送波の波長分割変調器（ＷＤＭ）中継器／送受信機。
【請求項１８】
前記光合成器は、偏波保持ビーム合成器であることを特徴とする請求項１６記載の２個の搬送波の波長分割変調器（ＷＤＭ）中継器／送受信機。
【請求項１９】
１０×ＸＦＩインターフェースを４個のレーンの２５Ｇｂ／秒の差動的にエンコードされたＮＲＺ信号に変換するための少なくとも１個の電子入力装置と、
前記４個のレーンの２５Ｇｂ／秒ＮＲＺ信号をそれぞれに増幅させるための４個のドライバ増幅器であって、前記各増幅器の群遅延変動が前記２５Ｇｂ／秒ＮＲＺ信号を歪ませないように十分に低い前記ドライバ増幅器と、
前記増幅された複数の信号を受信して複数のデュオバイナリエンコーダとしての機能を果たす４個の電子ローパスフィルタと、
前記エンコードされた複数の信号を４個の異なる波長を有する複数の光信号に変換する４個の１０Ｇｂ／秒光送信機と、
前記４個の１０Ｇｂ／秒光送信機から生成された前記４個の波長を合成するための光合成器と、
前記伝送路から受信された前記４個の波長を分離するための光波長スライサと、
４個の２５Ｇｂ／秒光受信機と、
４個のレーンの２５Ｇｂ／秒ＮＲＺ信号を１０×ＸＦＩインターフェースに変換するための少なくとも１個の電子出力装置とを備えることを特徴とする４個の搬送波の波長分割変調器（ＷＤＭ）中継器／送受信機。
【請求項２０】
前記電子装置は、前記４個の２５Ｇｂ／秒のレーン間のスキューを管理するための十分な電子的なバッファを有することを特徴とする請求項１９記載の４個の搬送波の波長分割変調器（ＷＤＭ）中継器／送受信機。
【請求項２１】
前記４個の送信機の任意の２個の隣接した光波長間の前記チャンネル間隔は、数ナノメータまでであることを特徴とする請求項１９記載の４個の搬送波の波長分割変調器（ＷＤＭ）中継器／送受信機。
【請求項２２】
前記光スライサは、５０ＧＨｚ又は１００ＧＨｚの周期を用いた１入力×４出力の周期的なアレイ導波路であることを特徴とする請求項１９記載の４個の搬送波の波長分割変調器（ＷＤＭ）中継器／送受信機。
【請求項２３】
ＳＦＩ５．１もしくはＮ×ＸＦＩインターフェースをＮ個のレーンの１０又は２０−２３Ｇｂ／秒の差動的にエンコードされたＮＲＺ信号に変換するための少なくとも１個の電子装置と、
前記Ｎ個のレーンの１０又は２０−２３Ｇｂ／秒ＮＲＺ信号をそれぞれに増幅させるためのＮ個のドライバ増幅器であって、前記各増幅器の群遅延変動が前記１０又は２０−２３Ｇｂ／秒のＮＲＺ信号を歪ませないように十分に低い前記ドライバ増幅器と、
前記増幅された複数の信号を受信して複数のデュオバイナリエンコーダとしての機能を果たすＮ個の電子ローパスフィルタと、
前記エンコードされた複数の信号をＮ個の異なる波長を有する複数の光信号に変換するＮ個の１０Ｇｂ／秒光送信機と、
前記複数のエンコードされた信号を前記Ｎ個の異なる波長を有する複数の光信号に変換するＮ個の１０又は２０−２３Ｇｂ／秒光送信機であって、前記光送信機は、前記すべてのＮ個の異なる波長が５０ＧＨｚウィンドウ又は１００ＧＨｚウィンドウのうちの１つの範囲内である前記Ｎ個の１０又は２０−２３Ｇｂ／秒光送信機と、
Ｎ個の１０又は２０−２３Ｇｂ／秒光受信機と、
前記Ｎ個のレーンの１０又は２０−２３Ｇｂ／秒ＮＲＺ信号をＳＦＩ５．１もしくはＮ×ＸＦＩインターフェースに戻して変換するための少なくとも１個の電子装置であって、前記Ｎが正の整数である前記電子装置とを備えることを特徴とするＮ個の搬送波の波長分割変調器（ＷＤＭ）中継器／送受信機。
【請求項２４】
前記電子装置は、前記Ｎ個の１０又は２０−２３Ｇｂ／秒のレーン間のスキューを管理するための十分な電子的なバッファを有することを特徴とする請求項２３記載のＮ個の搬送波の波長分割変調器（ＷＤＭ）中継器／送受信機。
【請求項２５】
前記Ｎ個の送信機の前記Ｎ個の光波長間の前記チャンネル間隔は、約１２．５ＧＨｚ又は２５ＧＨｚのうちの１つであることを特徴とする請求項２３記載のＮ個の搬送波の波長分割変調器（ＷＤＭ）中継器／送受信機。
【請求項２６】
４×ＸＦＩインターフェースを２個のレーンの２０−２３Ｇｂ／秒の差動的にエンコードされたＮＲＺ信号に変換するための少なくとも１個の電子入力装置と、
前記２個のレーンの２０−２３Ｇｂ／秒ＮＲＺ信号をそれぞれ増幅させるための１対のドライバ増幅器であって、前記各増幅器の群遅延変動は、前記２０−２３Ｇｂ／秒ＮＲＺ信号を歪ませないように十分に低い前記ドライバ増幅器と、
前記増幅された複数の信号を受信してデュオバイナリエンコーダとしての機能を果たす１対の電子ローパスフィルタと、
前記エンコードされた複数の信号を２個の異なる波長を有する複数の光信号に変換する１対のチューナブル１０Ｇｂ／秒光送信機と、
１対の２０−２３Ｇｂ／秒光受信機と、
２個のレーンの２０−２３Ｇｂ／秒ＮＲＺ信号を４×ＸＦＩインターフェースに戻して変換するための少なくとも１個の電子出力装置とを備えることを特徴とする２個の搬送波の波長分割変調器（ＷＤＭ）中継器／送受信機。
【請求項２７】
前記電子装置は、前記２個の２０−２３Ｇｂ／秒レーン間のスキューを管理するための十分な電子的なバッファを有することを特徴とする請求項２６記載の２個の搬送波の波長分割変調器（ＷＤＭ）中継器／送受信機。
【請求項２８】
前記２個の送信機の前記２個の光波長間の前記チャンネル間隔は、２５ＧＨｚであることを特徴とする請求項２６記載の２個の搬送波の波長分割変調器（ＷＤＭ）中継器／送受信機。
【請求項２９】
５×ＸＦＩインターフェースを２個のレーンの２７−２８Ｇｂ／秒の差動的にエンコードされたＮＲＺ信号に変換するための少なくとも１個の電子入力装置と、
前記２個のレーンの２７−２８Ｇｂ／秒ＮＲＺ信号をそれぞれに増幅させるための１対のドライバ増幅器であって、前記各増幅器の群遅延変動は、前記２７−２８Ｇｂ／秒ＮＲＺ信号を歪ませないように十分に低い前記ドライバ増幅器と、
前記増幅された複数の信号を受信してデュオバイナリエンコーダとしての機能を果たす１対の電子ローパスフィルタと、
前記エンコードされた複数の信号を２個の異なる波長を有する複数の光信号に変換する１対のチューナブル１０Ｇｂ／秒光送信機と、
１対の２７−２８Ｇｂ／秒光受信機と、
２個のレーンの２７−２８Ｇｂ／秒ＮＲＺ信号を５×ＸＦＩインターフェースに戻して変換するための少なくとも１個の電子出力装置とを備えることを特徴とする２個の搬送波の波長分割変調器（ＷＤＭ）中継器／送受信機。
【請求項３０】
前記電子装置は、前記２個の２７−２８Ｇｂ／秒レーン間のスキューを管理するための十分な電子的なバッファを有することを特徴とする請求項２９記載の２個の搬送波の波長分割変調器（ＷＤＭ）中継器／送受信機。
【請求項３１】
前記２個の送信機の前記２個の光波長間の前記チャンネル間隔は、２５ＧＨｚであることを特徴とする請求項２９記載の２個の搬送波の波長分割変調器（ＷＤＭ）中継器／送受信機。
【請求項３２】
１０×１０Ｇ電気インターフェースを４個の送信レーンの２５−２８Ｇｂ／秒の差動的にエンコードされたＮＲＺ信号に変換するための少なくとも１個の電子入力装置と、
前記４個のレーンの２５−２８Ｇｂ／秒ＮＲＺ信号をそれぞれに増幅させるための４個のドライバ増幅器であって、前記各増幅器の群遅延変動が前記２５−２８Ｇｂ／秒ＮＲＺ信号を歪ませないように十分に低い前記ドライバ増幅器と、
前記増幅された複数の信号を受信して複数のデュオバイナリエンコーダとしての機能を果たす４個の電子ローパスフィルタと、
前記エンコードされた複数の信号を４個の異なる波長を有する複数の光信号に変換する４個の１０Ｇｂ／秒クラスの光送信機と、
４個の２５−２８Ｇｂ／秒光受信機と、
４個の受信レーンの２５−２８Ｇｂ／秒ＮＲＺ信号を１０×１０Ｇ電気インターフェースに変換するための少なくとも１個の電子出力装置とを備えることを特徴とする４個の搬送波の波長分割変調器（ＷＤＭ）中継器／送受信機。
【請求項３３】
前記入力もしくは出力電気インターフェースの両方もしくはいずれか一方は、ＣＡＵＩインターフェースを備えたことを特徴とする請求項３２記載の４個の搬送波の波長分割変調器（ＷＤＭ）中継器／送受信機。
【請求項３４】
前記各１０Ｇｂ／秒光送信機は、ゼロチャープもしくはプレチャープされたリチウムニオブ酸塩又はＩｎＰもしくはポリマーに基づいた光変調器を含むことを特徴とする請求項３２記載の４個の搬送波の波長分割変調器（ＷＤＭ）中継器／送受信機。
【請求項３５】
４個の搬送波の波長分割変調器（ＷＤＭ）中継器／送受信機はさらに、４個の２０−２８Ｇｂ／秒光受信機を備え、
前記４個の２０−２８Ｇｂ／秒光受信機は、少なくとも１個の１０Ｇｂ／秒クラスの受信機及び２０−２８Ｇｂ／秒電子分散補償（ＥＤＣ）を含むことを特徴とする請求項３２記載の４個の搬送波の波長分割変調器（ＷＤＭ）中継器／送受信機。
【請求項３６】
４個のレーンの２５−２８Ｇｂ／秒ＮＲＺ信号を１０×１０Ｇインターフェースに変換する前記少なくとも１つの電子出力装置は、４個の２５−２８Ｇｂ／秒電子分散補償（ＥＤＣ）を含むことを特徴とする請求項３２記載の４個の搬送波の波長分割変調器（ＷＤＭ）中継器／送受信機。
【請求項３７】
前記中継器／送受信機は、３００ピンＭＳＡパッケージ又はＣＦＰ  ＭＳＡパッケージのうちの１つの内部に含まれることを特徴とする請求項３２記載の４個の搬送波の波長分割変調器（ＷＤＭ）中継器／送受信機。
【請求項３８】
１０×１０Ｇ電気インターフェースを４個の送信レーンの２５−２８Ｇｂ／秒の差動的にエンコードされたＮＲＺ信号に変換するための少なくとも１個の電子入力装置と、
前記４個のレーンの２５−２８Ｇｂ／秒ＮＲＺ信号をそれぞれに増幅させるための４個のドライバ増幅器であって、前記各増幅器の群遅延変動が前記２５−２８Ｇｂ／秒ＮＲＺ信号を歪ませないように十分に低い前記ドライバ増幅器と、
前記増幅された複数の信号を受信して複数のデュオバイナリエンコーダとしての機能を果たす４個の電子ローパスフィルタと、
前記エンコードされた複数の信号を４個の異なる波長を有する複数の光信号に変換する４個の１０Ｇｂ／秒クラスの光送信機と、
前記４個の１０Ｇｂ／秒光送信機から生成された前記４個の波長を合成するための光合成器と、
前記伝送路から受信された前記４個の波長を分離するための光波長スライサと、
４個の２５−２８Ｇｂ／秒光受信機と、
４個の受信レーンの２５−２８Ｇｂ／秒ＮＲＺ信号を１０×１０Ｇ電気インターフェースに変換するための少なくとも１個の電子出力装置とを備えることを特徴とする４個の搬送波の波長分割変調器（ＷＤＭ）中継器／送受信機。
【請求項３９】
前記入力もしくは出力電気インターフェースの両方もしくはいずれか一方は、ＣＡＵＩインターフェースを備えたことを特徴とする請求項３８記載の４個の搬送波の波長分割変調器（ＷＤＭ）中継器／送受信機。
【請求項４０】
前記各１０Ｇｂ／秒光送信機は、ゼロチャープもしくはプレチャープされたリチウムニオブ酸塩又はＩｎＰもしくはポリマーに基づいた光変調器を含むことを特徴とする請求項３８記載の４個の搬送波の波長分割変調器（ＷＤＭ）中継器／送受信機。
【請求項４１】
前記４個の搬送波の波長分割変調器（ＷＤＭ）中継器／送受信機はさらに、４個の２０−２８Ｇｂ／秒光受信機を備え、
前記４個の２０−２８Ｇｂ／秒光受信機は、少なくとも１個の１０Ｇｂ／秒クラスの受信機及び２０−２８Ｇｂ／秒電子分散補償（ＥＤＣ）を含むことを特徴とする請求項３８記載の４個の搬送波の波長分割変調器（ＷＤＭ）中継器／送受信機。
【請求項４２】
前記光合成器は、偏波保持ビーム合成器であることを特徴とする請求項３８記載の４個の搬送波の波長分割変調器（ＷＤＭ）中継器／送受信機。
【請求項４３】
前記中継器／送受信機は、３００ピンＭＳＡパッケージ又はＣＦＰ  ＭＳＡパッケージのうちの１つの内部に含まれることを特徴とする請求項３８記載の４個の搬送波の波長分割変調器（ＷＤＭ）中継器／送受信機。